(57)【要約】      （修正有）【課題】任意の形状及び材質の容器または食材に覆い被せることができ、かつ加熱または低温冷凍による損傷または溶解が発生せず、また繰り返し使用可能なシリコンラップを提供する。【解決手段】シリコン層１０と、支持層１１と、を備え、箱体に対応して設けられ、かつ箱体はカッター刃を有する。第１圧縮機構によって圧縮ローリングした後、第２圧縮機構によって極薄いシート状の構造体に貼り合わせるシリコン層１０と、シリコン層１０に覆い被せて、加工によりシリコン層１０と併せて巻き軸状の構造体に巻き上げ、使用者は必要の長さを引き出して、カッター刃によって裁断することができる支持層１１と、を備える。【選択図】図１
0003180733.tif 000002
【実用新案登録請求の範囲】
【請求項１】
箱体に対応し内部に収納されていて、かつカッター刃を有するシリコンラップであって、
固体シリコンを混練プロセスによって、一定の柔らかさに混練りし、第１圧縮機構を介して厚さ１ｃｍ〜２ｃｍに圧縮ローリングした後、引き続き、第２圧縮機構を介して、所定厚さのシート状構造体に貼り合わせるシリコン層と、  
前記シリコン層を一側の表面に覆い被せて加硫処理を実施することによって、前記シリコン層の分子に架け橋結合作用を引き起させ、前記シリコン層の弾性を向上し、その上に覆い被せるシリコン層と併せて、巻き軸状の構造体に巻き上げる支持層と、を備え、
使用するとき、必要な長さを引き出して、前記カッター刃を用いて裁断する事を特徴とする、
シリコンラップ。
【請求項２】
前記シリコン層の厚さは０．０５ｍｍ〜５ｍｍに設定されていることを特徴とする、請求項１に記載のシリコンラップ。
【請求項３】
前記シリコン層の耐熱温度の範囲はセ氏−６０度〜２３０度であることを特徴とする、請求項１または請求項２のいずれか一項に記載のシリコンラップ。
【請求項４】
前記支持層の材質はポリエチレンテレフタレートハロゲンフリー難燃材であることを特徴とする、請求項３に記載のシリコンラップ。
【請求項５】
前記シリコン層の柔らかさはショア硬度Ａ２０〜Ａ８０であることを特徴とする、請求項１に記載のシリコンラップ。
【考案の詳細な説明】
【技術分野】
【０００１】
本考案は食品クラスの保鮮用製品に関し、特に食品クラスのシリコン層と、支持層と、を組み合わせて、巻き軸状に形成する、シリコンラップに関する。
【背景技術】
【０００２】
通常、食物の鮮度を保ち、食物の賞味期間を延ばすため、保鮮ボックスまたはラップが食物保存の部材として、選択される。
【考案の概要】
【考案が解決しようとする課題】
【０００３】
現在市販されているラップは、ポリ塩化ビニール（ＰＶＣ）または低密度ポリエチレン（ＬＤＰＥ）の２種の材質を使用することがほとんどである。厚さは薄く、かつ使用に便利な長所を有するが、電子レンジ加熱または一般加熱に使用すると、前述ポリ塩化ビニール（ＰＶＣ）と低密度ポリエチレン（ＬＤＰＥ）から可塑剤等の発癌物質などの毒素が析出される。
このほか、強い臭気が放出され、かつ外観の変形を引き起し、食物と体の健康に影響する恐れがある。その為、市販のラップはプラスチック材料の性質上、加熱するとき、食品の味が変わることを避けるため、食材の表面に覆い被せることができず、ラップの機能性が大きく損なわれている。
このほか、市販のラップは使い捨てであるが、プラスチック製品の分解は極めて困難である。その為、使用後は回収して再利用することができず、ただちに廃棄しなければならない。これは、ゴミの量を増加するばかりでなく、環境に大きな負担をかける。さらに、ラップは弾性を有さず、異なる材質の容器または食材との付着力は弱い。その為、容器表面または食材表面を完全に覆うことは困難であり、かつ破損し易い。
【０００４】
また、ラップの使用をやめて食物の保存を保鮮ボックスに変えた場合、繰り返し使用できるほか、一部の耐熱材からなる保鮮ボックスは電子レンジ加熱に適用できる。しかし、保鮮ボックスの単価は高く、使用者による購入コストはさらに高い。また、食物を元の容器からそれぞれ保鮮ボックスに移す必要があり、収納に不便なほか、収納スペースを多く占拠する。  
【課題を解決するための手段】
【０００５】
考案者は前述課題の解決を図り、自然のシリコンから巻き軸状に仕上げ、繰り返し使用可能なほか、高温耐性及び高延長性を備えるシリコンラップを考案した。
【０００６】
本考案の一つの目的は、シリコンラップを提供することである。食品クラスのシリコンから極薄いシリコン層に仕上げた後、支持層に覆い被せて巻き軸状の構造体に巻き上げる。シリコンラップは高い弾性、粘性及び吸着力などの特性を有しており、各種の器具及び食材表面に完全付着することができる。
また、高温加熱または冷凍保存するとき、体の健康に危害を与える毒素は析出されない。このほか、シリコンラップは使い捨て式ではなく、繰り返し使用可能であり、ゴミの減量に貢献し、投棄した後は有効に分解し、または燃焼後珪砂に粉末化するなど、環境に与える危害を有効に軽減できる。
【０００７】
前述目的を達成するため、本考案のシリコンラップは次の特徴を備える。
本考案の箱体に対応して収納し、かつ箱体はカッター刃を有するシリコンラップは、固体シリコンゴムを混練プロセスによって一定の柔らかさに混練りした後、第１圧縮機構を介して、厚さが１ｃｍ〜２ｃｍなるように圧縮ローリングし、引き続き、第２圧縮機構を介して所定厚さのシート状構造に貼り合わせるシリコン層と、シリコン層を支持層一側の表面に覆い被せて、加硫処理を実施し、シリコン層の分子に架け橋結合作用を引き起こさせ、最後に支持層及びその上に覆い被せたシリコン層を巻き軸状の構造体に巻き上げ、使用するとき必要長さに引き出して、カッター刃によって裁断できる支持層と、を備える。
【０００８】
そのうち、厚さの設定は０．０５ｍｍ〜５ｍｍであり、柔らかさの設定はショア硬度Ａ２０〜Ａ８０の間である。さらに、シリコン層の耐熱温度は食物の加熱または冷凍保存に適するため、セ氏−６０度〜２３０度の間である。さらに、支持層の材質はポリエチレンテレフタレートハロゲンフリー難燃材である。
【図面の簡単な説明】
【０００９】
【図１】本考案による好ましい実施例の立体態様図である。
【図２】本考案による好ましい実施例の断面を示す図である。
【図３】本考案による好ましい実施例の応用を示す図である（その１）。
【図４】本考案による好ましい実施例の応用を示す図である（その２）。
【図５】本考案による好ましい実施例の応用を示す図である（その３）。
【考案を実施するための形態】
【００１０】
本考案の内容のさらなる理解を図るため、以下にて図面と合わせて説明する。
【実施例】
【００１１】
図１〜２及び３〜５の、本考案による好ましい実施例の立体概略図と、断面図及び各種応用を示す図と、を参照する。本考案によるシリコンラップ１はシリコン層１０と支持層１１と、を備え、箱体２に対応して収納していて、かつ箱体２はカッター刃２０を有する。
【００１２】
シリコン層１０は固体シリコンを混練プロセスによって、一定の柔らかさに混練りし、第１圧縮機構を介して厚さ１ｃｍ〜２ｃｍに圧縮ローリングした後、引き続き、第２圧縮機構を介して、所定厚さ１０１のシート状構造体に貼り合わせる。そのうち、所定の厚さ１０１は０．０５ｍｍ〜５ｍｍであり、この範囲において、シリコンラップ１から最適の覆い被せ及び保鮮効果が得られる。
さらに、シリコン層１０の設定の柔らかさはショア硬度（Ｓｈｏｒｅ  Ｈａｒｄｎｅｓｓ）Ａ２０〜Ａ８０の間であり、この設定範囲において、最適の延在性を有し、シリコンラップ１の使用効果を向上できる。
【００１３】
特に説明したいことは、シリコン層１０の原料は食品クラスのシリコンであり、体にいかなる影響もなく、かつシリコン層１０の耐熱温度はセ氏−６０〜２３０度範囲であり、一般の食物加熱または冷凍保存によって、シリコン層１０の溶解または破損は発生しない。
【００１４】
シリコン層１０を支持層１１一側の表面に覆い被せ、加硫処理を実施することによって、シリコン層１０の分子に架け橋結合作用を引き起させ、シリコン層１０の弾性を向上すると共に支持層１１にセッティングする。
支持層１１とその上に覆い被せるシリコン層１０とを併せて巻き軸状の構造体に巻き上げ、使用するときには、必要な長さを引き出して、カッター刃２０を用いて裁断する。そのうち、支持層１１の材質はポリエチレンテレフタレート（ＰＥＴ）ハロゲンフリー難燃材であり、かつ支持層１１によって、シリコン層１０を巻き付けた後、互いに付着を防止できる。
【００１５】
図３〜５に示すとおり、本考案に係るシリコンラップを使用するときには、シリコンラップ１を箱体２から必要な長さを繰り出した後、カッター刃２０を用いて裁断し、容器３または食材４に覆い被せて置き、支持層１１を剥がせば良い。
本考案のシリコンラップは、シリコン層１０の材質自体の影響により粘性を有し、容器３または食材４の表面に吸着でき、かつその粘性は液体の影響を受けない。このほか、シリコンラップ１をコップ体など、開口部３０を有する容器３のシールに使用する場合は開口部３０を軽く押すだけシリコンラップ１と、容器３と、を負圧状態にする。これにより、開口部３０のシール効果を達成し、容器３内部の液体の漏れだしを防止できる。
不規則状の食材４を覆う場合、食材４の表面に水滴があっても、本考案のシリコンラップ１自体の粘性により食材４の表面を完全に覆うことができ、空気遮断及び保鮮の機能を達成できる。
【００１６】
本考案によるシリコンラップ１は、シリコン層１０の原料は食品クラスのシリコンを選択し、支持層１１の原料はＰＥＴを選択する。各生産プロセスを経て、厚さが極薄いシリコン層１０と、シリコン層１０に覆い被せる支持層１１を併せて、巻き軸状の構造体に巻き上げる。
シリコン層１０は極めて高い延在性、弾性及び粘性を有するほか、加熱または冷凍保存のときに溶解しまたは毒素を析出することはなく、体に完全無害である。その上、洗浄後は繰り返し使用可能であり、ゴミ減量の環境保護目的に呼応できる。
さらに、シリコン層１０材質の特性を利用し、各種材質の容器３などに完全付着できる効果を有する。このほか、シリコンラップ１を容器３に覆い被せた後、表面に発生する張力は充分に他の容器３の重量を支持できるため、容器３を積み重ねて収納し、収納スペースの軽減効果を達成できる。
不規則状の食材４においても、シリコンラップ１は同じ効果を達成できる。食材４上に完全に覆い被せると、シリコンラップ１の重なる部分は静電気特性により、相互にしっかり吸着し、空気遮断及び保鮮機能を充分に達成できる。このほか、シリコンラップ１を複数回使用した後投棄する場合、埋めた後は土で分解するか、または燃焼後珪砂に粉末化するため、環境にいかなる影響も与えない。
【符号の説明】
【００１７】
１      シリコンラップ
１０    シリコン層
１０１  設定厚さ
１１    支持層
２      箱体
２０    カッター刃
３      容器
３０    開口部
４      食材
【図１】
0003180733.tif 000003
【図２】
0003180733.tif 000004
【図３】
0003180733.tif 000005
【図４】
0003180733.tif 000006
【図５】
0003180733.tif 000007